(57)【要約】      （修正有）【課題】全体の安全性を高め、同時にワイヤレス基地局を組み合わせることで多機能の効果を達する、多機能ランプを提供する。【解決手段】多機能ランプは主に発光警告部材１を含み、発光警告部材の一側に少なくとも１つの検出部材２とワイヤレス基地局５が設置され、検出部材の一側に識別部材３が設置され、識別部材が発光警告部材及び検出部材と情報的に接続され、識別部材の一側にさらに識別部材と情報的に接続された通報部材４が設置され、これにより、検出部材が発光警告部材の周囲に対して検出動作を行い、検出結果を識別部材中に伝送し、識別部材が検出された対象物に対して識別を実施して、対象物が特定ターゲットリストの中にあるか否かを確認し、さらに識別結果に基づいて発光警告部材が発する警告状態光源を制御し、安全性を高めるとともに、ワイヤレス基地局を組み合わせて多機能の効果を達成する。【選択図】図１
0003228643.tif 000002
【実用新案登録請求の範囲】
【請求項１】
多機能ランプであって、主に、発光警告部材と、少なくとも１つの検出部材と、識別部材と、通報部材と、ワイヤレス基地局と、を含み、
該発光警告部材が少なくとも１つの警告状態光源を発するために用いられ、
該検出部材が該発光警告部材の一側に設置され、
該識別部材が該検出部材の一側に設置され、かつ該検出部材及び該発光警告部材と情報的に接続され、該検出部材が検出した対象物が特定ターゲットリストの中にあるか否かを識別し、該発光警告部材の警告状態光源を制御するために用いられ、
該通報部材が該識別部材の一側に設置され、かつ該識別部材と情報的に接続され、
該ワイヤレス基地局が該発光警告部材の一側に設置された、ことを特徴とする、多機能ランプ。
【請求項２】
前記発光警告部材に風力発電部材が連接された、ことを特徴とする、請求項１に記載の多機能ランプ。
【請求項３】
前記検出部材がカメラ部材または電子センサー部材のいずれかである、ことを特徴とする、請求項１に記載の多機能ランプ。
【請求項４】
前記発光警告部材の一側にスピーカー部材が設置された、ことを特徴とする、請求項１に記載の多機能ランプ。
【請求項５】
前記発光警告部材上に結合部材が設置された、ことを特徴とする、請求項１に記載の多機能ランプ。
【考案の詳細な説明】
【技術分野】
【０００１】
本考案は多機能ランプに関し、特に、安全性を高め、多機能の効果を備えた、多機能ランプに関する。
【背景技術】
【０００２】
伝染病は人類にとって、常に非常に面倒な存在であり、小規模または季節性の伝染病のほか、例えば黒死病、ＳＡＲＳ、そして現在極めて重大な問題となっている新型コロナウイルスなど、人類の歴史の中では幾度も大規模な伝染病も発生している。
【０００３】
上述の大規模な伝染病はすべて、感染力が極めて高いという共通点があり、一般的なインフルエンザではより接近した接触がなければ感染が発生しないが、大規模な伝染病は往々にして会話やあいさつといった一般に人が会うときに起こる基本的な動作で感染が発生する。このため、ほとんどの国は大規模な伝染病を抑制するために、通常感染を引き起こす可能性がある人を一時的に隔離する、または自主的に隔離させるが、中には政府の規定を遵守せず、勝手に隔離区域を離れる人が少なくなく、他者に危険を招き、防疫の穴となる。
【考案の概要】
【考案が解決しようとする課題】
【０００４】
本考案の主な目的は、検出部材に識別部材を組み合わせた識別効果により、全体の安全性を高め、同時にワイヤレス基地局を組み合わせることで多機能の効果を達する、多機能ランプを提供することにある。
【課題を解決するための手段】
【０００５】
以下本考案について説明する。請求項１に記載する多機能ランプは主に、少なくとも１つの警告状態光源を発する発光警告部材と、該発光警告部材の一側に設置された少なくとも１つの検出部材と、該検出部材の一側に設置され、かつ該検出部材及び発光警告部材と情報的に接続され、該検出部材が検出した対象物が特定ターゲットリストの中にあるか否かを識別し、該発光警告部材の警告状態光源を制御する識別部材と、該識別部材の一側に設置され、かつ該識別部材と情報的に接続された通報部材と、該発光警告部材の一側に設置されたワイヤレス基地局を含む。
【０００６】
請求項２に記載する多機能ランプは、請求項１における発光警告部材に風力発電部材が連接される。
【０００７】
請求項３に記載する多機能ランプは、請求項１における検出部材がカメラ部材または電子センサー部材のいずれかである。
【０００８】
請求項４に記載する多機能ランプは、請求項１における発光警告部材の一側にスピーカー部材が設置される。
【０００９】
請求項５に記載する多機能ランプは、請求項１における発光警告部材上に結合部材が設置される。
【考案の効果】
【００１０】
上述の構造により、使用者は発光警告部材を任意の必要な地点に取り付け、かつ検出部材により附近の環境中の対象物を検出し、検出された対象物を識別部材に伝送する。使用者はあらかじめ特定ターゲットリストを設定しておき、これにより識別部材に特定ターゲットリストを組み合わせて対象物に対し識別動作を行い、該対象物が特定ターゲットリストの中にあるか否かを識別する。リストにない場合、発光警告部材を制御して安全を表す警告状態光源を発生する。該対象物が特定ターゲットリストの中にある場合、発光警告部材を制御して危険を表す警告状態光源を発生し、かつ通報部材を利用して関連機関に通知することで、全体的な安全性を高めることができる。このため、本考案は隔離規定を遵守しない人に対して識別動作を行い、同時に発光で他者に警告し、一般人がランプの情報に基づいて正常な社会生活にできるだけ早く回帰できるようにする。
【００１１】
また使用者はワイヤレス基地局をネットワーク接続のホットスポットとして利用し、ワイヤレスネットワークに接続することができる。これにより多機能の効果を達する。
【図面の簡単な説明】
【００１２】
【図１】本考案の最良の実施例の立体透視図である。
【図２】本考案の最良の実施例による検出を示す概略図である。
【図３】本考案の最良の実施例による警告を示す概略図である。
【図４】本考案の最良の実施例のネットワーク接続を示す概略図である。
【図５】本考案の別の最良の実施例の立体透視図である。
【図６】本考案の別の最良の実施例による警告を示す概略図である。
【図７】本考案のさらに別の最良の実施例の立体透視図である。
【図８】本考案のさらに別の最良の実施例の発電を示す概略図である。
【図９】本考案のさらに別の最良の実施例のスピーカーを示す概略図である。
【考案を実施するための形態】
【実施例１】
【００１３】
図１から図４に示す本考案の最良の実施例の立体透視図からネットワーク接続を示す概略図までを参照する。これらの図からはっきりと分かるように、本考案は、発光警告部材１と、少なくとも１つの検出部材２と、識別部材３と、通報部材４と、ワイヤレス基地局５と、を含む。
【００１４】
本実施例の該発光警告部材１は、街灯の形態を例とし、かつ、発光警告部材１上に、ＬＥＤ街灯１１、警告用緑色ランプ１２、警告用赤色ランプ１３がそれぞれ設置されるが、発光警告部材１の数量と色に制限はなく、警告用緑色ランプ１２と警告用赤色ランプ１３を通じて発する光源を警告状態光源とすることができる。
【００１５】
該検出部材２は該発光警告部材１の一側に設置される。本実施例の検出部材２は附近の携帯電話の関連情報を検出できるＧＰＳポジショニングセンサーを例とする。
【００１６】
該識別部材３は該検出部材２の一側に設置され、かつ該検出部材２及び該発光警告部材１と情報的に接続される。本実施例の識別部材３はプロセッサーを例とする。
【００１７】
該通報部材４は該識別部材３の一側に設置され、かつ該識別部材３と情報的に接続される。本実施例の通報部材４はネットワークを通じて関連通報機関に接続できる通信装置を例とする。
【００１８】
該ワイヤレス基地局５は該発光警告部材１の一側に設置される。本実施例は５Ｇホットスポットとすることができるフェムトセルを例とする。
【００１９】
上述の構造により、使用者は発光警告部材１を路傍に設置して、街灯として使用でき、平時の必要時、ＬＥＤ街灯１１により照明の効果を達することができる。かつ、本実施例の電力源は一般の電力線に接続することを例とするが、これに限定されない。検出部材２は周辺の通行人が所持する携帯電話に対して検出を行い、携帯電話を所持している人が通過すると、この携帯電話情報を識別部材３に伝送し、識別部材３がこの携帯電話信号に対して特定ターゲットリスト内に含まれるか否かを判断する。この特定ターゲットリストに制限はなく、使用者が事前に設定した名簿とするか、または政府関連機関から提供され、ネットワークなどのチャネルを経由してダウンロードすることもできる。本実施例は隔離が必要な人の名簿を例とするが、これに限定されない。この携帯電話信号の所持者が照合を経た後、特定ターゲットリスト内に含まれない場合、隔離が必要な人ではないことが分かり、識別部材３が発光警告部材１中の警告用緑色ランプ１２を制御して緑色の光源を発生させ、この区域の安全を表示する。この携帯電話信号の所持者が特定ターゲットリストの中に含まれる場合、識別部材３は発光警告部材１中の警告用赤色ランプ１３を制御して赤色光源を発生させ、この付近の区域に隔離が必要な人がいることを周辺の人に警告すると同時に、通報部材４が関連機関にこの情報を通報して、関連の後続処理を行わせることができ、本実施例は警察署Ａへの通報を例とする。このため、本考案は隔離規定を遵守しない人に対して検出部材２により識別動作を行い、同時に発光警告部材１により他者に警告し、一般人が発光警告部材１の情報に基づいて正常な社会生活にできるだけ早く回帰できるようにする。
【００２０】
また、ワイヤレスネットワークが５Ｇにアップグレードされると、より高周波の無線電波を使用して信号を伝送するため、伝送距離を短くする必要があり、このとき、発光警告部材１上に設置されたワイヤレス基地局５をワイヤレスネットワーク伝送時にメイン基地局Ｂと接続するフェムトセルとして使用し、使用上の効率を高め、かつ全体の機能性を向上することができる。またネットワークの種類に制限はなく、６Ｇまたは７Ｇ以上にアップグレードすることもできる。
【実施例２】
【００２１】
さらに同時に図５と図６を合わせて参照する。これらの図からはっきりと分かるように、発光警告部材１ａは警告用黄色ランプ１４ａと警告用緑色ランプ１２ａを備えているものを例としているが、これを通じて発光警告部材１ａの数量と色に制限はないことを示している。かつ、発光警告部材１ａ上に結合部材６ａが設置され、結合部材６ａは本実施例において結合に用いるクリップを例としているが、これに限定されない。また、検出部材２ａの数量は２つを例とし、かつそれぞれカメラ部材とセンサーを例とするが、これを通じて検出部材２ａの種類及び数量もこれらに限定されないことを示している。これにより、使用者は結合部材６ａにより発光警告部材１ａを任意の必要な場所（例えば商店の入口など）に取り付け、検出部材２ａが画像認識または携帯電話の検出により検出を行うことができ、特定ターゲットリスト内の人が検出されないときは、警告用緑色ランプ１２ａに緑色の光を発生させて安全であることを表示し、特定ターゲットリスト内の人が検出されると、警告用黄色ランプ１４ａに黄色い光を発生させて、通行人に警告する。
【実施例３】
【００２２】
さらに同時に図７から図９を合わせて参照する。これらの図からはっきりと分かるように、発光警告部材１ｂに風力発電部材７ｂが接続される。この風力発電部材７ｂは垂直型風力発電機を例とし、これにより発電を行う効果を具備するほか、さらにその体積が比較的小さく、騒音を抑制できるという優位性もあり、かつ本実施例においてさらに太陽光発電部材８ｂが設置され、発電の効率を高めることができる。
【００２３】
また、発光警告部材１ｂの一側にスピーカー部材９ｂが設置され、使用者は発光警告部材１ｂを農地の傍に設置し、風力発電部材７ｂ及び太陽光発電部材８ｂを通じて発電の動作を行い、検出部材２ｂ（本実施例は３つのカメラレンズで３６０度撮影できるカメラにセンサーを組み合わせたものを例とする）が鳥類Ｃの接近を検出すると、スピーカー部材９ｂをオンにして鳥類Ｃを追い払い、農作物の損害を減少することができる。
【符号の説明】
【００２４】
１、１ａ、１ｂ    発光警告部材
１１          ＬＥＤ街灯
１２、１２ａ  警告用緑色ランプ
１３          警告用赤色ランプ
１４ａ        警告用黄色ランプ
２、２ａ、２ｂ    検出部材
３            識別部材
４            通報部材
５            ワイヤレス基地局
６ａ          結合部材
７ｂ          風力発電部材
８ｂ          太陽光発電部材
９ｂ          スピーカー部材
Ａ            警察署
Ｂ            メイン基地局
Ｃ            鳥類
【図１】
0003228643.tif 000003
【図２】
0003228643.tif 000004
【図３】
0003228643.tif 000005
【図４】
0003228643.tif 000006
【図５】
0003228643.tif 000007
【図６】
0003228643.tif 000008
【図７】
0003228643.tif 000009
【図８】
0003228643.tif 000010
【図９】
0003228643.tif 000011